(57)【要約】【課題】従来のアーチェリーのサイトでは、エレベーションバーとボックス１２との間には隙間が生じること画不可避であった。このため、ガタツキが生じ、悪い再現性性能を導き、選手の使い勝手が悪くしてしまう問題があった。【解決手段】アーチェリー用の弓部に取り付けられるサイトであって、該弓部に対して固定され、第一の摺動面と第二の摺動面とを有するエレベーションバーと、該エレベーションバーの第一の摺動面と該第二の摺動面とに沿って摺動可能に取り付けられているボックスと、該第一の摺動面に対向するように該ボックスに取り付けられる弾性体と、該弾性体を該第一の摺動面に対して角度をもった方向に押圧して該弾性体を変形させて該第一の摺動面に押し付け、該弾性体により該第一の摺動面から押圧されたボックスは該第二の摺動面に押し付けられる押圧手段とを備えることを特徴とするサイトより解決する。【選択図】  図３
2006046850.tif 000002
【特許請求の範囲】
【請求項１】
アーチェリー用の弓部に取り付けられるサイトであって、
該弓部に対して固定され、第一の摺動面と第二の摺動面とを有するエレベーションバーと、
該エレベーションバーの第一の摺動面と該第二の摺動面とに沿って摺動可能に取り付けられているボックスと、
該第一の摺動面に対向するように該ボックスに取り付けられる弾性体と、
該弾性体を該第一の摺動面に対して角度をもった方向に押圧して該弾性体を変形させて該第一の摺動面に押し付け、該弾性体により該第一の摺動面から押圧されたボックスは該第二の摺動面に押し付けられる押圧手段とを備え、
該弾性体は、該押圧手段が該弾性体を変形させて第一の摺動面に押し付けた状態においても該ボックスが該第一の摺動面に沿ってあそびがない状態で摺動可能であることを特徴とするサイト。
【請求項２】
請求項１に記載のサイトであって、該弾性体は両端が該ボックスに対して固定されていて、該押圧手段は前記両端の間の任意の位置に第一の摺動面に沿って複数個が配置されていることを特徴とするサイト。
【請求項３】
請求項１乃至２に記載のサイトであって、該押圧手段は該ボックスに取り付けられるネジであって、該ボックスには該ネジと螺嵌されるネジ部を有し、該ネジを該ネジ部に対して螺嵌すると該ネジが該弾性体を変形させて所定の圧縮力で第一の摺動面に接触するように該弾性体を押圧することを特徴とするサイト。
【請求項４】
請求項３に記載のサイトであって、該ボックスまたは該エレベーションバーの一方は第一の摺動面に沿った溝を有し、他方は該溝の断面形状に対応し、該溝に受容可能な突起を有し、該溝と該突起とは前記押圧手段の押圧力により互いに接触するように配置されていることを特徴とするサイト。
【請求項５】
請求項４に記載のサイトであって、前記第二の摺動面が該溝を構成する一の面であって、該ボックスは該第二の摺動面と対向して接触するように配置される第三の摺動面を備えることを特徴とするサイト。
【請求項６】
請求項５に記載のサイトであって、該第三の摺動面は弾性体で構成されていることを特徴とするサイト。
【請求項７】
請求項１乃至６に記載のサイトであって、該弾性体は樹脂で形成されることを特徴とするサイト。
【請求項８】
請求項１乃至７に記載のサイトであって、該エレベーションバーは該第一の摺動面に対して角度を持った第四の摺動面を備え、
該ボックスは、さらに、第四の摺動面に対向した配置される他の弾性体と、該他の弾性体を該第四の摺動面に対して角度をもった方向に押圧して該弾性体を変形させて該第四の摺動面に押し付ける他の押圧手段とを備えることを特徴とするサイト。
【請求項９】
請求項８に記載のサイトであって、該他の弾性体は両端が該ボックスに対して固定されていて、該他の押圧手段は前記両端の間の任意の位置に第一の摺動面に沿って複数個が配置されていることを特徴とするサイト。
【請求項１０】
請求項８乃至９に記載のサイトであって、該他の押圧手段は該ボックスに取り付けられるネジであって、該ボックスには該ネジと螺嵌されるネジ部を有し、該ネジを該ネジ部に対して螺嵌すると該ネジが該弾性体を変形させて所定の圧縮力で第四の摺動面に接触するように該弾性体を押圧することを特徴とするサイト。
【請求項１１】
請求項７乃至１０に記載のサイトであって、該他の弾性体は樹脂で形成されることを特徴とするサイト。
【発明の詳細な説明】
【技術分野】
【０００１】
この発明は、アーチェリー用照準器（以下、サイトとよぶ）に関する。
【背景技術】
【０００２】
アーチェリーで使用される弓具１は、図１に示すように、弓部１とストリング２の部品から構成される。弓部１はアーチ型の板状の部材であって、その両端にストリング２の両端がそれぞれ取り付けられている。ストリング２を引くと弓部１の両端の距離が狭まりリムが撓む。弓部１が撓むと、その撓みによって矢を飛ばすための弾性エネルギーが弓部１内に蓄えられる。ストリング２は、弓部１に蓄えられたその弾性エネルギーを矢に伝達させる。
【０００３】
弓部１には、さらに、スタビライザ３とサイト４とが、それぞれ弓部１から前方に向かって延在するように取り付けられている。スタビライザ3は弓の姿勢を安定させたり、振動や衝撃を低減させるために取り付けられている。サイト４は、矢を的に狙いを定めるために取り付けられている。
サイト４は、選手の視線と、選手により保持されている弓部１の姿勢と、的Ｐとを関連付ける装置である。図２に示すように、サイト４は、エレベーションバー１１と、ボックス１２と、サイトピン６とから構成される。エレベーションバー１１は、弓部１を立てて弓を射る状態においてほぼ鉛直方向にそって位置するように、弓部１の前方に延在する取り付けシャフト５で固定される。
【０００４】
ボックス１２はエレベーションバー１１に沿って摺動可能に、エレベーションバー１１に取り付けられている。エレベーションバー１１には、エレベーションバーの軸方向に沿って長い送りねじ１３が配置されている。送りねじ１３はボックス１２に螺嵌され、送りねじ１３の回転によってボックス１２がエレベーションバー１１に沿って細かく移動可能である。
ボックス１２にはサイトピン６が取り付けられている。サイトピン６は断面が小円となる細長い円筒形状であって、弓部１を立てて弓を射る状態において弓を射る選手の目と的Ｐを結ぶ方向に、ほぼピンの軸方向が沿うようにボックス１２に取り付けられている。この状態選手は図１に示すように、サイトピン６の断面の小円が的Ｐに合うように固定して弓部１を保持することで、弓部１を常に同じ状態で保持することができるようになる。
【０００５】
しかし、実際には、弓部１が完全に厳密な意味で同じ状態で保持されるとは限らない。また、弓部１が仮に完全に厳密な意味で同じ状態で保持されたとしても、選手がサイト４のサイトピン６を的Ｐに合わせて弓を射ると、選手の体調や、天候などの要因から狙った位置からずれることがある。この場合には、そのずれ量に応じてボックス１２をエレベーションバー１１に沿って移動させ、サイトピン６の位置をずらして選手が前回射た状態を補正する。最初のサイトピン６の位置で的Ｐを射た場合と、サイトピン６の位置をずらして射た場合の差を、選手が感じ取り、次回に弓を射る場合の補正の参考条件とできる。
【発明の開示】
【発明が解決しようとする課題】
【０００６】
このように、サイト４は、選手が、次回に弓をいる際の基準となる装置であるため、常に高い精度で位置が再現される必要がある。特に、弓部１の変形に伴う振動などで、エレベーションバー１１に対してボックス１２が移動しやすい環境にある。しかし、従来のサイト４では、ボックス１２をエレベーションバー１１に沿って摺動させるために、ボックス１２とエレベーションバーに加工上の隙間を持たせた状態でボックス１２とエレベーションバー１１の寸法加工を行う必要があった。さらに、この加工では、当然に寸法公差が必要となる。その結果、ボックス１２とエレベーションバー１１との間には常に、公差をもったある程度の寸法が予定されてしまう隙間が存在することになる。この隙間は、エレベーションバー１１に対してボックス１２のガタツキにつながり、ひいてはエレベーションバー11に対するボックス１２の位置の誤差を生じる。ボックス１２とエレベーションバー１１の断面の水平方向および垂直方向のいずれの方向にもいわゆるガタツキが生じている状態となる。すなわち、この隙間は、加工上は必要ながら、アーチェリーのサイトとしては、悪い再現性性能を導き、選手の使い勝手が悪くしてしまう問題がある。
【課題を解決するための手段】
【０００７】
そこで、アーチェリー用の弓部に取り付けられるサイトであって、該弓部に対して固定され、第一の摺動面と第二の摺動面とを有するエレベーションバーと、該エレベーションバーの第一の摺動面と該第二の摺動面とに沿って摺動可能に取り付けられているボックスと、該第一の摺動面に対向するように該ボックスに取り付けられる弾性体と、該弾性体を該第一の摺動面に対して角度をもった方向に押圧して該弾性体を変形させて該第一の摺動面に押し付け、該弾性体により該第一の摺動面から押圧されたボックスは該第二の摺動面に押し付けられる押圧手段とを備えることを特徴とするサイトにより解決する。
【発明の効果】
【０００８】
上記の構成により、エレベーションバーに対して荷重をかけた状態でエレベーションバーとの間にあそびがない状態でボックスの移動をすることができる。
【発明を実施するための最良の形態】
【０００９】
（実施の形態１）
図１乃至図４を参照して、本願発明の構成について説明する。
図１に示すようにアーチェリーの弓具１は、弓部１とストリング２の部品から構成される。弓部１とストリング２の作用は前記のとおりである。弓部１には、さらに、スタビライザ３とサイト４とが、それぞれ弓部１から前方に向かって延在するように取り付けられている。スタビライザ３とサイト４の作用も前記のとおりである。図２に示すように、サイト４は、エレベーションバー１１と、ボックス１２と、サイトピン６とから構成される。エレベーションバー１１は、弓部１を立てて弓を射る状態においてほぼ鉛直方向にそって位置するように、弓部１の前方に延在するエクステンション５で固定される。
【００１０】
図２Ａおよび図２Ｂに示すように、ボックス１２はエレベーションバー１１に沿って摺動可能に、エレベーションバー１１に取り付けられている。エレベーションバー１１には、エレベーションバーの軸方向に沿って長い送りねじ１３が配置されている。送りねじ１３はボックス１２に螺嵌され、送りねじ１３の回転によってボックス１２がエレベーションバー１１に沿って細かく移動可能である。なおボックス１２にはサイトピン６が取り付けられている。サイトピン６の役割も前記と同じである。
【００１１】
続いて、図２Ａ，図２Ｂおよび図３乃至図５を参照して、本願発明の特徴となる部分について説明する。図３は、図２Ａの断面３−３を示したものである。
ボックス１２は、エレベーションバー１１を包み込むような断面形状を有していて、エレベーションバー１１に沿って摺動可能に取り付けられている。
エレベーションバー１１の中央部には、エレベーションバー１１の長手方向であるところのボックス１２の摺動方向に沿って送りネジ１３が配置されている。この送りネジ１３は、エレベーションバー１１のほぼ中央部に配置されている。
エレベーションバー１１には、第一の摺動面２０と、第一の摺動面に対して角度をもって配置されている第四の摺動面２３をエレベーションバー１１のボックス１２の本体側に備えている。第一の摺動面２０と第四の摺動面２３に対応するボックス１２のそれぞれの箇所には、弾性体たる押さえ板１４および押さえ板１５が取り付けられている。押さえ板１４および押さえ板１５は、弾性力のある樹脂製でポリアミド樹脂やポリアセタール樹脂などがその代表例である。
押さえ板１４と押さえ板１５は第一の摺動面２０と第四の摺動面２３とにそれぞれ対向するように向かい合って配置されているので、それぞれ第一の摺動面２０と第四の摺動面２３とほぼ同じ角度をなしている。
【００１２】
押さえ板１４と押さえ板１５は、それぞれボックス１２に両端が固定されている状態で取り付けられている。ボックス２０には、押さえ板１４および押さえ板１５のそれぞれ面に対してそれぞれ角度をもった方向にネジ部を有する孔を備えている。それぞれのネジ部を有する孔には押圧手段たる押さえネジ３０および３１が螺嵌されている。ネジ部を有する孔は、押さえ板１４および押さえ板１５のそれぞれにおいて押さえ板１４および押さえ板１５の長手方向にそれぞれ複数個が配置されている。ネジもそれぞれの孔に対応するように複数個が螺嵌されている。
図４は、押さえ板１４と第一の摺動面２０と、押さえ板１４に角度を持った方向に穿設されているネジ部を有する孔に螺嵌されている複数の押さえネジ３０および３２の位置関係と作用の関係を示したものである。なお、ここでは、押さえ板１４と第一の摺動面２０と押さえネジ３０および３２の関係のみを示しているが、押さえ板１５と第四の摺動面２３と押さえネジ３１の関係も面対称であって同じである。
ここに示されるように、押さえ板１４は両端に取り付けようのタブ部１４ａおよびタブ部１４ｂを有している。押さえ板１４はこのタブ部１４ａとタブ部１４ｂとがボックス１２の両端部にはめ込むように固定される。したがって、押さえ板１４は両端固定の板梁状態となっている。押さえ板１４の両端のタブ部１４ａとタブ部１４ｂとの間には押圧手段たる押さえネジ３０および３２が配置されている。なお、図４には示していないが、ボックス１２には、押さえ板１４に角度を持った方向に穿設されているネジ部を有する孔があって、押さえネジ３０および押さえネジ３２は前記のとおりこの孔に螺嵌されている。
【００１３】
押さえ板１４はタブ部１４ａとタブ部１４ｂとによりボックス１２に固定されている状態で、押さえ板１４の下面が第一の摺動面２０にほぼ平行で当接するような面１４ｃの位置に調節されている。押さえネジ３０および押さえネジ３２の端部は、初期状態で、それぞれの先端は、第一の摺動面２０に当接する押さえ板１４の上面に当接するようにその位置が調整されている。ここで、押さえネジ３０および押さえネジ３２をさらに締めると、押さえネジ３０および押さえネジ３２はそれぞれの孔に設けられたネジ溝にしたがって進み、押さえネジ３０および押さえネジ３２のそれぞれの先端が突出する。突出した押さえネジ３０および押さえネジ３２のそれぞれの先端は、押さえ板１４の面を、第一の摺動面２０にほぼ平行で当接するような面１４ｃの位置から第一の摺動面２０に押圧を加えるように撓む位置１４ｄに変形させる。すなわち、押さえネジ３０および押さえネジ３２のそれぞれの先端が突出することにより、押圧が加えられて変形した押さえ板１４の面が第一の摺動面２０を介してボックス１２を押さえつける。
【００１４】
図５は、図３のエレベーションバー１１とボックス１２の関係を模式的に示したものである。以下、図３と図５を参照して、さらに詳細に説明する。
第一の摺動面２０と同じ側であってボックス１２と反対側のエレベーションバー１１には第二の摺動面２１が配置され、一方、第四の摺動面２３と同じ側であってボックス１２と反対側のエレベーションバー１１には第五の摺動面２４が配置されている。
一方、ボックス１２側において、第二の摺動面２１と第五の摺動面２４とに対向するボックス１２のそれぞれの箇所には他の弾性体たる受け部２２および受け部２３が配置されている。受け部２２および受け部２３はそれぞれ弾性のある樹脂で形成されるのが好ましい。たとえば、ポリアミド樹脂やポリアセタール樹脂などが代表例である。
【００１５】
この構成により、押さえネジ３０および押さえネジ３２のそれぞれの先端が突出することにより、押圧が加えられて変形した押さえ板１４の面が第一の摺動面２０を介してボックス１２を押さえつけると、ボックス１２はその押圧方向に向かって移動しようとする。なお、これと同時に押さえネジ３１と押さえネジ３３のそれぞれの先端が突出することにより、押さえ板１５に押圧が加えられて変形し、変形した押さえ板１５の面が第四の摺動面２３を介してボックス１２を押さえつけられる。これにより、第一の摺動面２０と押さえ板１４の間および第四の摺動面２３と押さえ板１５との間のそれぞれにはあそび（すきま）がなくなる。
第一の摺動面２０と第四の摺動面２３はそれぞれ角度をもって配置されており、またそれに固定されている押さえ板１４と押さえ板１５も同様に角度を持って配置されているので、押さえネジ３０および押さえネジ３１による押圧は、図５の矢印のように、押さえネジ３０および押さえネジ３１のそれぞれと対向する側、すなわちそれぞれ受け部１７と受け部１６とにボックスを押さえつけることになる。
【００１６】
逆に、押さえネジ３０および押さえネジ３１の配置されている方向の成分を図５の水平方向および垂直方向に分解して考えると、ボックス１２はエレベーションバー１１に水平方向および垂直方向の両方から押さえつけられることになる。その結果、押さえネジ３０および押さえネジ３１による押圧により、それぞれ押さえ板１４および押さえ板１５を変形させて第一の摺動面２０と第四の摺動面２３とを押さえつけ、この第一の摺動面２０と第四の摺動面２３に対する押圧によってエレベーションバー１１がボックス１２に対して相対的に離れるように移動する。さらに、その結果、第一の摺動面２０と第四の摺動面２３の反対側のエレベーションバー１１の対応する箇所に配置されている第二の摺動面２１と第五の摺動面２４がそれぞれ受け部１６の第三の摺動面２２および第六の摺動面２５に当接するように押さえつけられる。これにより、第二の摺動面２１と第三の摺動面２２との間には遊びが無くなる。第五の摺動面２４と第六の摺動面２５との間にも遊びが無くなる。
一方、図５の水平方向は、第一の摺動面２０と第四の摺動面２３が向かい合うような向きに押し付けあうので、ボックス１２はエレベーションバー１１に対して水平方向も固定される。
なお、ここで第一の摺動面２０と第二の摺動面２１とは平行にすることが好ましい。また、第四の摺動面２３と第五の摺動面２４も平行にすることが好ましい。これにより、たとえば、押さえネジ３０と押さえ板１４と第一の摺動面２０および第二の摺動面２１の関係で説明すると、押さえネジ３０の押圧力により押さえ板１４を変形させた力のうち、図５の垂直方向の力成分は、第一の摺動面２０に伝えられるが、それとほぼ平行な第二の摺動面２１により効率的に伝えられる。
【００１７】
このように、押圧手段たるネジによりボックス１２は、エレベーションバー１１にその断面の水平方向および垂直方向のいずれにもほぼあそびがない状態でほぼ固定された状態となる。しかし、押さえ板１４および押さえ板１５と受け部１６と受け部１７は弾性を有する化学樹脂でできているため、押さえ板１４および押さえ板１５とをそれぞれ押圧手段たる押さえネジ３０および３２と押さえネジ３２および押さえネジ３３により変形させて第一の摺動面２０に押し付けられた状態、すなわち水平方向および垂直方向のいずれにもほぼあそびがないほぼ固定された状態においても、ボックス１２は第一の摺動面２０に沿ってエレベーションバー１１の長手方向である軸方向にあそびがない状態で摺動可能である。
つまり、押さえ板１４および押さえ板１５と受け部１６と受け部１７によって、ボックス１２とエレベーションバー１１の隙間が無くなってボックス１２とエレベーションバー１１の断面の水平方向および垂直方向のいずれの方向にも固定された状態でありながら、ボックス１２がエレベーションバー１１に沿って可動となる。これにより、ボックス１２に取り付けられたサイトピン６のエレベーションバー１１に対する位置の再現性が高くなる。
なお、押さえネジ３０および押さえネジ３２の突出量を調整すれば、押さえ板１４が第一の摺動面２０を押さえる力を調整することができる。これにより、押さえ板１４と第一の摺動面２０との間の摩擦力を調整することができ、ボックス１２のエレベーションバー１１に対する移動の状態の調整をすることができる。押さえネジ３１および押さえネジ３３と押さえ板１５の関係も同様である。
【００１８】
（第二の実施例）
第一の実施例で説明したとおり、本願発明では、第一の摺動面２０と、第一の摺動面に対して角度をもって配置されている第四の摺動面２３の２つの面に対応するボックス１２のそれぞれの箇所に、弾性体たる押さえ板１４および押さえ板１５取り付けることで、水平方向および垂直方向の両方を固定した状態でボックス１２がエレベーションバー１１に沿って可動とできる。
しかし、図６または図７に示すように、第一の摺動面２０と押さえ板１４および押さえネジ３０の一組でも同様の効果を生じる。この場合、第二の摺動面２１は、押さえネジ３０の押圧方向であって、第一の摺動面２０の反対側のボックス１２に対向する面に配置する。そして第二の摺動面２１に対応するボックス１２の箇所には第三の摺動面２２を配置する。この第三の摺動面は弾性のある樹脂で形成すればよい。この場合には、図６に示すように、ボックス１２に溝を設けて第三の摺動面２２がこの溝の一部を構成するようにし、一方、エレベーションバー１１にはこの溝と対応する断面形状をもった突起とし、この突起の一部を第二の摺動面２１とすればよい。これにより、溝と突起が係合し、一方向からの押圧であっても図６の水平方向および垂直方向に固定されたのと同じ効果を生じながら、ボックス１２がエレベーションバー１１に沿って可動とできる。
【００１９】
さらに、上記図６では、ボックス１２に溝をエレベーションバー１１にはこの溝と対応する断面形状をもった突起を配置したが、この逆であってもよい。図７はこの場合を示している。
すなわち、この場合には、ボックス１２に突起を設けて第三の摺動面２２がこの突起の一部を構成するようにし、一方、エレベーションバー１１にはこの突起と対応する断面形状をもった溝とし、この溝の一部を第二の摺動面２１とすればよい。これにより、溝と突起が係合し、一方向からの押圧であっても図６の場合と同じ効果をそうする。
【図面の簡単な説明】
【００２０】
【図１】アーチェリー用弓の全体図である。
【図２Ａ】本願発明のアーチェリー用サイトの側面図である。
【図２Ｂ】本願発明のアーチェリー用サイトの正面図である。
【図３】本願発明の第一の実施の形態のサイトであって、ボックスおよびエレベーションバーの付近の断面図である。
【図４】本願発明の第一の実施の形態のサイトであって、第一の摺動面と押さえネジと押さえ板の関係を示した模式図である。
【図５】本願発明の第一の実施の形態のサイトであって、ボックスおよびエレベーションバーの付近の荷重方向の詳細をしめした断面図である。
【図６】本願発明のサイトであって、第二の実施の形態の一例を示した図である。
【図７】本願発明のサイトであって、第二の実施の形態の他の例を示した図である。
【符号の説明】
【００２１】
１  弓部
２  ストリング
３  スタビライザ
４  サイト
１１  エレベーションバー
１２  ボックス
１４，１５  押さえ板
１６，１７  受け部
２０  第一の摺動面
２１  第二の摺動面
２２  第三の摺動面
２３  第四の摺動面
２４  第五の摺動面
２５  第六の摺動面
３０，３１，３２  押さえネジ  
【図１】
2006046850.tif 000003
【図２Ａ】
2006046850.tif 000004
【図２Ｂ】
2006046850.tif 000005
【図３】
2006046850.tif 000006
【図４】
2006046850.tif 000007
【図５】
2006046850.tif 000008
【図６】
2006046850.tif 000009
【図７】
2006046850.tif 000010